(57)【要約】【課題】  混在する文書を同一宛先に確実に封入すること【解決手段】  封入物移送部１は第１レール１１と、その長手方向に沿って設けられる複数のステーション１３と、各ステーションに設けられ封入物６を取り出す揺動自在の取出アーム１５と、封入物を押進する第１コンベヤ１７とからなる。封筒移送部５は第１レールに沿って設けられる第２レール５１と、第２レールの基端部に設けられる封筒ホッパ５２と、封筒を挟持した状態で第２レールに沿って移動する第２コンベヤ５３と、第２レールに設けられ移送されてくる封筒の蓋を開く開封体５４と、封筒の蓋の裏面に水を付けるブラシ５５と、ステーション１３ｎに設けられ第１レールに裁置された封入物の束を第２レール上に押し出す押出体５６とからなる。封緘部は第２レールの先端部に設けられる。ステーションに照合部を設け、取り出された封入物の送付先の同一性を識別し同一の封筒に入れる。【選択図】        図１
0003104626.tif 000002
【実用新案登録請求の範囲】
【請求項１】
封入物が移送される封入物移送部、封筒が移送される封筒移送部及び封緘部からなり、封入物移送部は封入物が載置される第１レールと、該第１レールの長手方向に沿って設けられる複数のステーションと、上記各ステーションに設けられ各ステーションに収納された封入物を取り出す揺動自在の取出アームと、取り出された封入物を押進する第１コンベヤと、最後のステーションに後行して設けられ第１レールに載置された封入物の束を第２レール上に押し出す押出体とからなり、封筒移送部は上記第１レールに沿って設けられる第２レールと、上記第２レールの基端部に設けられる封筒収納部と、上記封筒収納部に収納された封筒を取り出し挟持した状態で上記第２レールに沿って移動する第２コンベヤと、上記第２レールに設けられ移送されてくる封筒の蓋を開く開封体と、開かれた封筒の蓋の裏面に水分を給する給水部材とからなり、封入物を入れた封筒の封緘をする封緘部が上記第２レールの先端部に設けられ、さらに上記ステーションに照合部を設け、上記各ステーションから取り出された封入物の送付先の同一性を識別し同一の封筒に入れることを特徴とする照合封入機。    
【請求項２】
上記照合部を上記ステーションの一部に設けることを特徴とする照合封入機。
【請求項３】
上記照合部を上記ステーションの全部に設けることを特徴とする照合封入機。
【請求項４】
上記照合部が封入物の下面に付されたバーコードを読み取るバーコードリーダからなる請求項１乃至請求項３いずれか一記載の照合封入機。
【請求項５】
上記バーコードリーダが各照合部に夫々設けられる請求項４記載の照合封入機。
【請求項６】
上記第１コンベヤの進行方向両端部に封入物を押す押動子を突設した請求項１記載の照合封入機。
【請求項７】
上記取出アームは取り出される封入物とその直上の封入物との間に生ずるギャップに挿入される開閉自在の取出板を有する請求項１記載の照合封入機。
【請求項８】
上記第２コンベヤは取り出される封筒とその直上の封筒との間に生ずるギャップに挿入される開閉自在の挟持爪を有する請求項１記載の照合封入機。
【請求項９】
上記封緘部に先行する第２レール上にさらに厚み検査部を設け、封入物を入れた封筒の厚さを検査する請求項１記載の照合封入機。
【請求項１０】
さらにデータの入力をする入力部を設けるとともに、データの記憶及び演算処理をする管理部を設ける請求項１記載の照合封入機。
【請求項１１】
上記封緘部が上下動自在のスタッカからなる請求項１記載の照合封入機。
【請求項１２】
上記取出アームが封入物を入れた封筒の厚さを検査する請求項１記載の照合封入機。
【考案の詳細な説明】
【技術分野】
【０００１】
本願考案は、特定人に宛てた複数種類の文書を照合して封入する照合封入機に関する。
【背景技術】
【０００２】
平成１５年４月施行の商法改正により、委員会等設置会社においては株主総会の決議を経ずに取締役会決議をもって会社利益の配当をすることが可能となった（株式会社の監査等に関する商法の特例に関する法律第２１条の３１第１項）。
【０００３】
これにより、例えば特定人宛の議決権行使書と、これと同一の特定人宛の配当金計算書とを同一の封書にて通知することが、委託会社（株式発行会社）にとってコスト上有利であり、かつ受領する株主にとっても分かり易く利便性が高い。
【０００４】
この送付方法によると特定人に宛てた複数の異なる文書が混在するため、照合ミスは禁物である。
【０００５】
一般的に封入方式としては、別々のもの（単独用紙）を積み重ねて封入する単独用紙方式と、連続用紙をカットしながら封入する連続用紙方式がある。
【考案の開示】
【考案が解決しようとする課題】
【０００６】
証券代行業務においては、例えば、株主総会の招集通知を出すときは、葉書として返信される議決権行使書（これには予め株主の住所・氏名が印字されており、返信することにより議決権の書面投票をし、または株主総会当日の出席票となるものである）や招集通知（議案内容等記載の小冊子）を、また株主総会終了後には、配当金計算書、決議通知、事業報告書（小冊子）、アンケート葉書（任意）等を同封しなければならない。
【０００７】
連続用紙方式の場合、連続用紙に印刷した異なる種類の文書を分離せずに封入機にセットし、該封入機により封入単位に切断しながら封入する。よって、この方式によると、例えば連続用紙に破損や毀損があっても、各用紙が結合されているため差し替えることができない。また送付物の中のある種類のものの記載内容を変更したり、これを抽出して分別する必要が生じた場合に、対応することが困難である。よって、このような場合、封入後に抽出する必要が生じ、抽出もれ等のリスクが発生する。
【０００８】
これに対し、単独用紙方式の場合、封入する紙質等の相違に対応することができること、各封入物が別々に作成されるので修正等の対応が容易であること等の利点がある。
【０００９】
このため、証券代行業務においては単独用紙方式が採用されている。
【００１０】
従前においては、特定人宛（同一会社の特定株主宛）の封入物が１種類であり、これと複数の不特定人宛（同一会社の株主共通のもの）の封入物を同一の封書にて送付することが一般的であったため、照合封入の必要性がなかった。
【００１１】
本願考案は上記問題を解消し、特定人に宛てた複数種類の文書が混在していても同一宛先に確実に封入することができることを目的とする。
【課題を解決するための手段】
【００１２】
上記目的達成のため、本願考案による照合封入機は、封入物が移送される封入物移送部、封筒が移送される封筒移送部及び封緘部からなり、封入物移送部は封入物が載置される第１レールと、該第１レールの長手方向に沿って設けられる複数のステーションと、上記各ステーションに設けられ各ステーションに収納された封入物を取り出す揺動自在の取出アームと、取り出された封入物を押進する第１コンベヤと、最後のステーションに後行して設けられ第１レールに載置された封入物の束を第２レール上に押し出す押出体とからなり、封筒移送部は上記第１レールに沿って設けられる第２レールと、上記第２レールの基端部に設けられる封筒収納部と、上記封筒収納部に収納された封筒を取り出し挟持した状態で上記第２レールに沿って移動する第２コンベヤと、上記第２レールに設けられ移送されてくる封筒の蓋を開く開封体と、開かれた封筒の蓋の裏面に水分を給する給水部材とからなり、封入物を入れた封筒の封緘をする封緘部が上記第２レールの先端部に設けられ、さらに上記ステーションに照合部を設け、上記各ステーションから取り出された封入物の送付先の同一性を識別し同一の封筒に入れることを特徴とする。
また、上記照合部を上記ステーションの一部に設けることを特徴とする。
また、上記照合部を上記ステーションの全部に設けることを特徴とする。
また、上記照合部が封入物の下面に付されたバーコードを読み取るバーコードリーダからなることを特徴とする。
また、上記バーコードリーダが各照合部に夫々設けられることを特徴とする。
また、上記第１コンベヤの進行方向両端部に封入物を押す押動子を突設したことを特徴とする。
また、上記取出アームは取り出される封入物とその直上の封入物との間に生ずるギャップに挿入される開閉自在の取出板を有することを特徴とする。
また、上記第２コンベヤは取り出される封筒とその直上の封筒との間に生ずるギャップに挿入される開閉自在の挟持爪を有することを特徴とする。
また、上記封緘部に先行する第２レール上にさらに厚み検査部を設け、封入物を入れた封筒の厚さを検査することを特徴とする。
また、さらにデータの入力をする入力部を設けるとともに、データの記憶及び演算処理をする管理部を設けることを特徴とする。
また、上記封緘部が上下動自在のスタッカからなることを特徴とする。
また、記取出アームが封入物を入れた封筒の厚さを検査することを特徴とする。
【考案の効果】
【００１３】
本願考案による照合封入機によれば、封筒に入れられる封入物につき、その送付先の同一性をステーションに設けられる照合部にて読み取り後封筒に入れられるから、特定人に宛てた複数種類の文書が混在していても同一宛先に確実に封入することができる。
【考案を実施するための最良の形態】
【００１４】
次に、実施の形態を示す図面に基づき本願考案による照合封入機をさらに詳しく説明する。なお、便宜上同一の機能を奏する部分には同一の符号を付してその説明を省略する。
【００１５】
本願考案による照合封入機は、封入物３が移送される封入物移送部１、封筒６が移送される封筒移送部５及び封緘部７からなる。封入物移送部１は、第１レール１１と、複数のステーション１３（第１ステーションを「１３ａ」、第２ステーションを「１３ｂ」の如く示し、最後のステーションを「１３ｎ」と示す）と、各ステーションの取出アーム１５と、第１コンベヤ１７と、照合部１８、押出体１９とからなる。第１レール１１は水平の板状体を延設してなり、上面に各ステーションより取り出された封入物３が載置される。各ステーション１３は封入物３が積層・収納されるホッパ１４からなり、上記第１レール１１の長手方向に沿って設けられる。各ホッパ１４の下部には空気で封入物３を吸着する吸着装置（図示せず）を設けてある。各ステーション１３には振り子状に揺動自在の取出アーム１５が設けられる。該取出アーム１５は各々その先端部に開閉自在の一対の取出板１５ａ、１５ａを有し、該取出板１５ａ、１５ａにより封入物３をつまみ出す。１５ｂは取出アーム１５に設けた厚み検知器である。上記第１レール１１の下方には矢印方向に進行するコンベヤからなる第１コンベヤ１７が設けられる。該第１コンベヤ１７の進行方向両端部につめ状の押動子１７ａを突設し、該押動子１７ａにより第１コンベヤ１７の進行に伴って封入物３を押送する。第１ステーション１３ａ及び第２ステーション１３ｂには照合部１８（区別するときは「１８ａ」「１８ｂ」の如く示す）を設ける。各照合部１８はバーコードリーダからなり、照射光により封入物３の下面に付されたバーコード４ａ、４ｂを読み取る。押出体１９は最後のステーション１３ｎに後行して設けられる。該押出体１９は基端部１９ａにアーム１９ｂを揺動自在に設け、該アーム１９ｂの先端部に押出面１９ｃを形成し、該押出面１９ｃにより封入物３の束３ｚを第２レール５１上に押し出す。なお、取出アーム１５は封入物３の厚みを検知する機能も併せ有する。１６は各取出アーム１５及び上記押出体１９を連結する連結ロッドである。
【００１６】
封筒移送部５は上記第１レール１１に沿って設けられる第２レール５１と、封筒ホッパ５２と、第２コンベヤ５３と、開封体５４と、ブラシ５５とからなる。上記第２レール５１は水平の板状体を延設してなり、上面に封筒ホッパ５２より取り出された封筒６が載置される。封筒ホッパ５２は上記第２レール５１の基端部に設けられ、空の封筒６が積層されて収納される。上記第２レール５１の長手方向中央部には溝５１ａが設けられ、該溝５１ａに第２コンベヤ５３が矢印方向に進行可能に設けられる。該第２コンベヤ５３には所定の間隔をおいて開閉自在の挟持爪５３ａが設けられ、該挟持爪５３ａにより封筒６をつまみ出す。該挟持爪５３ａは、第２コンベヤ５３の移動に伴い、封筒６を挟持した状態で溝５１ａに沿って移動する。上記封筒ホッパ５２の前方に位置する第２レール５１上には板状の開封体５４を設ける。該開封体５４により、上記第２レール５１に挟持されて移送されてくる封筒６の蓋を開く。５５は開かれた封筒６の蓋の裏面に水を付けるブラシである。上記ブラシ５５と上記開封体５４の中間には、吸着により封筒６内に空間を形成する吸着体５６を設け、この作動により形成された封筒６の隙間に押出体１９に押送された封入物の束３ｚが挿入される。５７は封入物３を入れた封筒６の厚さを検査する厚み検査部である。５８は水をつけられた封筒６の蓋を折り返す折り返しつめであり、上記厚み検査部５７の前方に設けられる。
【００１７】
封緘部７は上下動自在のスタッカ（図示省略）からなり、上記第２レール５１の先端部に設けられる。封緘部７は、封入物３を入れ蓋の裏に水を付けられ折り返され移送されてくる封筒６が収納されるところで、上記スタッカの底部を上昇させることによりその重みで封筒６の蓋を圧着する。
【００１８】
上記した各部は図示しないコンピュータにより制御されている。コンピュータは、データの入力をする入力部（図示省略）及びデータの記憶及び演算処理をする管理部（図示省略）を備える。
【００１９】
次に各部の動作を説明する。まず、各ステーション１３のホッパに封入物３を、封筒ホッパ５２に空の封筒６を各入れセットする。封入物３については、例えば第１ステーション１３ａに配当金計算書を、第２ステーション１３ｂに議決権行使書のように特定人宛文書をセットし、株主総会の招集通知のように不特定人宛文書は第３ステーション・・・ステーション１３ｎにセットする。
【００２０】
各部を稼働させると、第１ステーション１３ａでは吸着装置（図示せず）により吸着された最下部の封入物３ａとその直上の封入物３ａ’とのギャップｇの間に取出板１５ａ、１５ａが挿入されて封入物３ａをつまみ、次いで取出アーム１５の稼働により第１レール１１上にピックアップする。
【００２１】
この封入物３ａは進行する第１コンベヤ１７の押動子１７ａに押されて第１レール１１上を移送され、次の第２ステーション１３ｂのところに到着する。第２ステーション１３ｂでは同様にして封入物３ｂのピックアップがなされ、上記封入物３ａの上に載置される。以後最後のステーション１３ｎまで上記動作を繰り返すことにより、第１レール１１上の押出体１９のところには特定人に宛た封入物３の束３ｚが移送されてくる。
【００２２】
一方、封筒移送部５の封筒ホッパ５２では、吸着装置（図示せず）により吸着された最下部の封筒６とその直上の封筒６との間に挟持爪５３ａが挿入され、最下部の封筒６を第２レール５１上につまみ出す。
【００２３】
この封筒６は第２コンベヤ５３の進行により最後のステーション１３ｎの次に位置する押出体１９のところまで移送されてくる。この間、この封筒６は開封体５４を通過する際蓋を開けられ、また吸着体５６により封筒６内が開状態となっている。
【００２４】
この状態で押出体１９により上記封入物３の束が第２レール５１上に開蓋状態である封筒６内に押し出される。
【００２５】
かくして、封入物３の束を入れられた封筒６の蓋にはブラシ５５を通過する際水が付けられ、折り返しつめ５８を通過するときに蓋が折り込まれて、封緘部７のスタッカ内に移送される。封緘部７ではスタッカの底部を上昇させることによりその重みで封筒６の蓋を圧着する。
【００２６】
封入物３の束を入れられた封筒６は、厚み検査部５７を通過する際、厚みチェックが行われる。
【００２７】
ここで、図２乃至図４を参照して封入物３の送付先の同一性の照合・識別について説明する。特定人宛封入物３がストックされている第１ステーション１３ａ及び第２ステーション１３ｂには照合部１８ａ、１８ｂが設けられており、これにより取り出される封入物３ａ及び封入物３ｂに印字されている名宛人特有のバーコードを読み取っている（図２参照）
【００２８】
この読み取りデータは図示しないコンピュータにて制御されている。コンピュータの表示部には図３の如き操作画面が表示される。まず、図３Ａに示すメニュー画面が表示されるので、照合ボタンをタッチすると、図３Ｂに示す照合選択画面が表示される。ここでは第１ステーション１３ａに収納・セットする封入物３ａのバーコードの選択を行う。また第２ステーション１３ｂに収納・セットする封入物３ｂのバーコードの選択を行う。バーコードの選択は、例えば第１ステーション１３ａで８桁のバーコードを選択した場合は第２ステーション１３ｂでは１４桁のバーコードを選択する。次いで、図３Ｃの照合画面を表示させ、封入物３の照合を行なう。封入物３の送付先の同一性の照合・識別は、第１ステーション１３ａの封入物３ａのバーコードに基づき行なうよう設定されている。
【００２９】
図４は、例えば、特定人宛封入物３が「００１」、「００２」「００３」のように第１レール１１上に重ねられて移送されており、次は第１ステーション１３ａより「００４」宛の封入物３ａが第１レール１１上に取り出され、第２ステーション１３ｂからは「００４」宛の封入物３ｂが読取り・取り出されるべきであるところ、読み取られた封入物３ｂのバーコードには「００５」と付されている場合を示す。この場合、第１ステーション１３ａの封入物３ａのバーコード「００４」がマスターであるから、第２ステーション１３ｂの封入物３ｂはアンマッチングによりエラーとなり、第１コンベヤ１７の進行はバーコード「００４」が付された封入物３ａの取出直後に停止する。よって、バーコード「００５」が付された封入物３ｂを取り除き、バーコード「００４」が付された封入物３ｂとした上で図３Ｃの「２ＳＴ再読」ボタンを押して再稼働させる。なお、図４中、「１ＳＴ」は第１ステーション１３ａを、「２ＳＴ」は第２ステーション１３ｂを各示す。
【００３０】
このようにこの実施の形態による照合封入機によれば、株主番号という固有の番号を表象したバーコードによる照合を行うから、照合ミスのおそれがない。よって、特定人に宛てた複数種類の文書が混在していても同一宛先に確実に封入することができる。
【００３１】
封入する紙質等が違っている場合であっても、別々のステーションに収納しておくことにより容易に対応することができる。
【００３２】
各封入物３が別々に作成されているので、修正、破損、毀損等に対して事前に抽出、分離することができるので、送付のハンドリングを良好としかつ送付リスクを小とすることができる。また、特定人宛文書の記載内容を変更したり、これを抽出して分別することができる。
【００３３】
よって混在文書の封入コストを大幅に削減することができる。
【００３４】
本願考案による照合封入機は上記実施の形態に限定されない。例えば、照合部１８をすべてのステーション１３に設けることもできる。また、適用される封入物３の内容が任意であるのは勿論である。封入物３に付されるバーコードは一次元バーコードのみならず、二次元バーコードであってもよい。給水部材はスポンジ、噴霧器等による給水であってもよい。
【産業上の利用可能性】
【００３５】
本願考案は、例えば証券代行業務における各種文書の封入に活用可能である。
【図面の簡単な説明】
【００３６】
【図１】本願考案による照合封入機の実施の形態を示し、Ａはその概略平面図、ＢはＡのＢ−Ｂ矢視図、ＣはＡのＣ−Ｃ矢視図、ＤはＡのＤ−Ｄ矢視図、ＥはＤのＥ矢視図である。
【図２】Ａは図１の第１ステーションの照合部を示す概略斜視図、Ｂは同第２ステーションの照合部を示す概略斜視図である。
【図３】図１の入力部の操作画面を示し、Ａはメニュー画面、Ｂは照合選択画面、Ｃは照合画面を表わす。
【図４】本願考案による照合封入機の動作を説明する図である。
【符号の説明】
【００３７】
１      封入物移送部
１１    第１レール
１３    ステーション
１３ａ  第１ステーション
１３ｂ  第２ステーション
１３ｃ  第３ステーション
１３ｎ  最後のステーション
１４    ホッパ
１５    取出アーム
１５ａ  取出板
１５ｂ  厚み検知器
１６    連結ロッド
１７    第１コンベヤ
１７ａ  押動子
１８    照合部
１８ａ  照合部
１８ｂ  照合部
１９    押出体
１９ａ  基端部
１９ｂ  アーム
１９ｃ  押出面
３      封入物
３ａ    封入物
３ｂ    封入物
３ｚ    束
４ａ    バーコード
４ｂ    バーコード
５      封筒移送部
５１    第２レール
５２    封筒ホッパ
５３    第２コンベヤ
５３ａ  挟持爪
５４    開封体
５５    ブラシ
５６    吸着体
５７    厚み検査部
５８    折り返しつめ
６      封筒
７      封緘部
【図１】
0003104626.tif 000003
【図２】
0003104626.tif 000004
【図３】
0003104626.tif 000005
【図４】
0003104626.tif 000006
【手続補正書】
【提出日】平成16年6月16日(2004.6.16)
【手続補正１】
【補正対象書類名】実用新案登録請求の範囲
【補正対象項目名】全文
【補正方法】変更
【補正の内容】
【実用新案登録請求の範囲】
【請求項１】
封入物が移送される封入物移送部、封筒が移送される封筒移送部及び封緘部からなり、封入物移送部は封入物が載置される第１レールと、該第１レールの長手方向に沿って設けられる複数のステーションと、上記各ステーションに設けられ各ステーションに収納された封入物を取り出す揺動自在の取出アームと、取り出された封入物を押進する第１コンベヤと、最後のステーションに後行して設けられ第１レールに載置された封入物の束を第２レール上に押し出す押出体とからなり、封筒移送部は上記第１レールに沿って設けられる第２レールと、上記第２レールの基端部に設けられる封筒収納部と、上記封筒収納部に収納された封筒を取り出し挟持した状態で上記第２レールに沿って移動する第２コンベヤと、上記第２レールに設けられ移送されてくる封筒の蓋を開く開封体と、開かれた封筒の蓋の裏面に水分を給する給水部材とからなり、封入物を入れた封筒の封緘をする封緘部が上記第２レールの先端部に設けられ、さらに上記ステーションに照合部を設け、上記各ステーションから取り出された封入物の送付先の同一性を識別し同一の封筒に入れることを特徴とする請求項１記載の照合封入機。    
【請求項２】
上記照合部を上記ステーションの一部に設けることを特徴とする請求項１記載の照合封入機。
【請求項３】
上記照合部を上記ステーションの全部に設けることを特徴とする請求項１記載の照合封入機。
【請求項４】
上記照合部が封入物の下面に付されたバーコードを読み取るバーコードリーダからなる請求項１乃至請求項３いずれか一記載の照合封入機。
【請求項５】
上記バーコードリーダが各照合部に夫々設けられることを特徴とする請求項４記載の照合封入機。
【請求項６】
上記第１コンベヤの進行方向両端部に封入物を押す押動子を突設したことを特徴とする請求項１記載の照合封入機。
【請求項７】
上記取出アームは取り出される封入物とその直上の封入物との間に生ずるギャップに挿入される開閉自在の取出板を有することを特徴とする請求項１記載の照合封入機。
【請求項８】
上記第２コンベヤは取り出される封筒とその直上の封筒との間に生ずるギャップに挿入される開閉自在の挟持爪を有することを特徴とする請求項１記載の照合封入機。
【請求項９】
上記封緘部に先行する第２レール上にさらに厚み検査部を設け、封入物を入れた封筒の厚さを検査することを特徴とする請求項１記載の照合封入機。
【請求項１０】
さらにデータの入力をする入力部を設けるとともに、データの記憶及び演算処理をする管理部を設けることを特徴とする請求項１記載の照合封入機。
【請求項１１】
上記封緘部が上下動自在のスタッカからなることを特徴とする請求項１記載の照合封入機。
【請求項１２】
上記取出アームが封入物を入れた封筒の厚さを検査することを特徴とする請求項１記載の照合封入機。